(57)【特許請求の範囲】
【請求項１】
カメラヘッド部と、該カメラヘッド部に電源を供給すると共に該カメラヘッド部を制御するＣＣＵと、前記カメラヘッド部と該ＣＣＵとを接続する伝送ケーブルとを有し、時分割多重で双方向伝送するテレビジョンカメラ装置の伝送ケーブル状態表示方法において、
電源投入時に、前記ＣＣＵから前記カメラヘッド部に送信される本運用時の伝送レートより低伝送レートのＳＴＢＹ用の送信データと、前記カメラヘッド部から送信される前記送信データの戻りの送信データとから、前記伝送ケーブルのケーブル長と前記本運用時の減衰量を算出し、該算出したケーブル長と本運用時の減衰量から前記伝送ケーブルの直径を算出し、該算出した伝送ケーブルの直径と本運用時の減衰量から最大許容ケーブル長を算出し、算出した本運用の周波数の減衰量、伝送ケーブルの直径、および最大許容ケーブル長を１つの表示画面に表示するように出力することを特徴とするテレビジョンカメラ装置の伝送ケーブル状態表示方法。
【請求項２】
請求項１記載のテレビジョンカメラ装置の伝送ケーブル状態表示方法において、前記最大許容ケーブル長を棒状に表示し、該棒状の該当する位置に前記算出されたケーブル長を色分けして表示するように出力することを特徴とするテレビジョンカメラ装置の伝送ケーブル状態表示方法。
【請求項３】
請求項２記載のテレビジョンカメラ装置の伝送ケーブル状態表示方法において、前記ケーブル長と前記最大許容ケーブル長とを比較し、前記ケーブル長が前記最大許容ケーブル長を超えた長さで算出された場合には、前記最大許容ケーブル長の前記棒状の表示に、前記超えた長さ分の棒を継ぎ足して表示するように出力することを特徴とするテレビジョンカメラ装置の伝送ケーブル状態表示方法。
【発明の詳細な説明】
【技術分野】
【０００１】
本発明は、テレビジョンカメラ装置に関わり、特にデジタル映像信号多重伝送方法に使用するテレビジョンカメラ装置の伝送ケーブルの状態表示方法に関する。
【背景技術】
【０００２】
従来のテレビジョンカメラ装置において、テレビジョンカメラ（以下、カメラヘッド部ともいう）とカメラ制御装置等の映像機器（以下、ＣＣＵ（Camera Control Unit）ともいう）間で、双方向に映像信号、音声信号、制御信号などのデータを多重伝送する場合、ＴＲＩＡＸケーブル（以下、伝送ケーブルともいう）と呼ばれる３重の同軸ケーブルを用い、映像信号、音声信号、制御信号等のデータを周波数多重して伝送するＴＲＩＡＸ伝送方式が知られている。
従来、ＴＲＩＡＸ伝送方式では、双方向に映像信号、音声信号、制御信号などをアナログ的に周波数多重して伝送する形態が主流であった。このようにアナログ処理の場合、使用する伝送ケーブルの特性および周波数分割する際のフィルタの特性等の影響を受け、カメラヘッド部あるいはＣＣＵから得られる映像や音声信号に特性の劣化が生じ易い。
この問題を解決するため、デジタル映像信号多重伝送方式およびその装置（例えば、特許文献１参照。）がある。これは伝送路の両端で、それぞれ映像信号と無信号期間の繰り返しからなる送信信号を生成し、伝送路の一端からの送信信号の無信号期間に、他端からの送信信号を相互に伝送することによって、１つの伝送路にて双方向伝送を可能としたもので、現在実用化に至っている。
【０００３】
従来のテレビジョンカメラ装置では、カメラヘッド部とＣＣＵとの間で、カメラヘッド部からＣＣＵに出力される主映像信号（本線）、ＣＣＵからカメラヘッド部に出力される戻り映像信号、音声信号、各種制御用シリアルデータ信号、電源等のデジタル映像信号等のデータを周波数多重および時分割多重して、１本のＴＲＩＡＸケーブルで伝送している。
しかし、このように、デジタル映像信号を多重化しシリアル化した場合には、信号伝送に必要な帯域が広くなる。このため、伝送路である１本のＴＲＩＡＸケーブルのケーブル損失による信号特性劣化が大きく、伝送可能な長さが短くなるという欠点がある。言い換えれば、デジタル信号伝送が可能な距離（ケーブルまたは伝送路の長さ）内ではアナログ伝送で生じるような劣化はないが、デジタル伝送可能な距離を超えると信号が正常に再生されず、伝送不可の状態となる。
【０００４】
具体的には、例えば、上述したカメラヘッド部からＣＣＵに伝送される本線（主映像信号）のデータの伝送レートを約２００［Mbps］、ＣＣＵからカメラヘッド部に伝送される送り返し映像信号（戻り映像信号、音声信号、各種制御用シリアルデータ信号、電源等）のデータの伝送レートを約７０［Mbps］とすると、双方向伝送のための伝送レートは、約２７０［Mbps］となる。この約２７０［Mbps］の伝送レートのデータ信号は、周波数１３５［MHz］の信号で送信することができる。
一方、良く使用されているＴＲＩＡＸケーブルの周波数１３５［MHz］の信号の減衰量は、１［km］で約−１２０［dB］と大きく、これ以上長いケーブル長になると伝送されるデジタル信号の再生が難しくなる。なお、多少余裕を持って、減衰量 約−８３［dB］程度のデジタル信号の送受信を行うには、ＴＲＩＡＸケーブルの長さは、約７００［m］程度が限度である。
【０００５】
さて、ＴＲＩＡＸケーブルを用いたテレビジョンカメラ装置は、様々な用途で利用される。例えば、放送局内で使用される場合には、スタジオ内で使用されることが多く、ケーブル長は通常１００［m］以下であり、スタジオ内で使用される場合には、減衰量が問題となることは特に無い。しかし、屋外で使用される場合には、例えば、野球中継、ゴルフ中継、あるいはマラソン中継などで使用されることが多い。このように屋外で使用される場合には、カメラヘッドとＣＣＵ間の距離が１［km］を超える場合がほとんどであり、リピータと呼ばれる中継装置を介してＴＲＩＡＸケーブルを延長することもある。
【０００６】
しかしながら、最初のカメラヘッドの設定時に、おおよその距離を算出し、ＴＲＩＡＸケーブルを何本か接続して設定した場合であっても、実際に映像を撮影したときに信号が劣化して再生できない場合、あるいは使用したＴＲＩＡＸケーブルが経年変化で劣化して信号が伝送されない場合には、大きな問題となる。例えば、野球、ゴルフあるいはマラソンの実況中継で、映像が伝送されない場合等には大きな問題となる。
また、ＴＲＩＡＸケーブルは、使用する顧客毎に使用するケーブルの径が異なる、あるいは、ケーブルメーカ毎にケーブルの径が異なる。ケーブルの径が異なることでケーブルの種類毎に運用可能なケーブル長が変わる。従って、このようなＴＲＩＡＸケーブルを用いたテレビジョンカメラ装置において、ケーブル長が長すぎることや、劣化等の問題を早期に発見することができれば、運用上のトラブルが少なくなる。
【先行技術文献】
【特許文献】
【０００７】
【特許文献１】特許第３３９０５０９号公報
【発明の概要】
【発明が解決しようとする課題】
【０００８】
テレビジョンカメラ装置を、中継、ゴルフ中継、あるいはマラソン中継等のために屋外で使用する場合には、テレビジョンカメラ装置を構成するカメラヘッド部とＣＣＵの間の距離は１［km」を超える場合がほとんどである。このような距離でカメラヘッド部とＣＣＵとをＴＲＩＡＸケーブルで接続し、実際の映像を撮像して伝送する。このとき、ＴＲＩＡＸケーブルのケーブル長が長いため主映像信号が劣化して再生できない場合、あるいは使用したＴＲＩＡＸケーブルが経年変化で劣化して主映像信号が伝送されない場合がある。このような場合には、カメラヘッド部から出力される映像がＣＣＵに伝送されず、映像中継ができないことがある。
【０００９】
本発明の目的は、上記の問題に鑑み、撮像した映像を確実に伝送するためのテレビジョンカメラ装置の伝送ケーブル状態表示方法を提供することにある。
本発明の他の目的は、伝送路の状態を自動認識するテレビジョンカメラ装置の伝送ケーブル状態表示方法を提供することである。
本発明のさらに他の目的は、カメラヘッド部とＣＣＵを伝送ケーブルで接続した場合に、接続された伝送ケーブルのケーブル長を自動認識し、伝送ケーブルの状態を表示するテレビジョンカメラ装置の伝送ケーブル状態表示方法を提供することである。
【課題を解決するための手段】
【００１０】
上記の目的を達成するため、本発明のテレビジョンカメラ装置の伝送ケーブル状態表示方法は、カメラヘッド部と、該カメラヘッド部に電源を供給すると共に該カメラヘッド部を制御するＣＣＵと、前記カメラヘッド部と該ＣＣＵとを接続する伝送ケーブルとを有し、時分割多重で双方向伝送するテレビジョンカメラ装置の伝送ケーブル状態表示方法において、電源投入時に、前記ＣＣＵから前記カメラヘッド部に送信される本運用時の伝送レートより低伝送レートのＳＴＢＹ用の送信データと、前記カメラヘッド部から送信される前記送信データの戻りの送信データとから、前記伝送ケーブルのケーブル長と前記本運用時の減衰量を算出し、該算出したケーブル長と本運用時の減衰量から前記伝送ケーブルの直径を算出し、該算出した伝送ケーブルの直径と本運用時の減衰量から最大許容ケーブル長を算出し、算出した本運用の周波数の減衰量、伝送ケーブルの直径、および最大許容ケーブル長を１つの表示画面に表示するように出力するものである。
【００１１】
上記本発明のテレビジョンカメラ装置の伝送ケーブル状態表示方法において、前記最大許容ケーブル長を棒状に表示し、該棒状の該当する位置に前記算出されたケーブル長を色分けして表示するように出力することを特徴とする。
好ましくは、上記本発明のテレビジョンカメラ装置の伝送ケーブル状態表示方法において、前記ケーブル長と前記最大許容ケーブル長とを比較し、前記ケーブル長が前記最大許容ケーブル長を超えた長さで算出された場合には、前記最大許容ケーブル長の前記棒状の表示に、前記超えた長さ分の棒を継ぎ足して表示するように出力することを特徴とする。
【発明の効果】
【００１２】
本発明によれば、伝送ケーブルの状態を画面に表示することで、ケーブルの状態を常に監視することができ、安定した運用が可能となる。
【図面の簡単な説明】
【００１３】
【図１】本発明のテレビジョンカメラ装置の一実施例の概略構成を示すブロック図である。
【図２】本発明のテレビジョンカメラ装置のＣＣＵの一実施例の構成を示すブロック図である。
【図３】本発明テレビジョンカメラ装置に用いる３［ＭＨｚ］のデータから１００［ＭＨｚ］の減衰量を算出する変換グラフの一実施例を示す図である。
【図４】本発明のテレビジョンカメラ装置で使用する伝送ケーブルの直径を算出する変換式の一実施例を示す図である。
【図５】本発明のテレビジョンカメラ装置の一実施例のケーブル情報表示画面である。
【図６】本発明のテレビジョンカメラ装置の一実施例のケーブル情報表示画面である。
【図７】本発明のテレビジョンカメラ装置におけるケーブル長表示動作の一実施例を示すフローチャートである。
【発明を実施するための形態】
【００１４】
本発明は、例えば、ＴＲＩＡＸケーブル等の１本の伝送路（伝送ケーブル）で時分割多重により、カメラヘッド部とＣＣＵ間で双方向伝送するテレビジョンカメラ装置において、起動スタンバイ（ＳＴＢＹモード）時に、ＣＣＵからカメラヘッド部に３［ＭＨｚ］のパルス信号（送信データ）を送信し、カメラヘッド部からＣＣＵに受信したパルス信号を送り返す。ＣＣＵは、送り返され、伝送ケーブルを再び通過した信号を受信する。
そして、ＣＣＵは、送信したパルス信号と受信したパルス信号との遅延時間からケーブル長を算出し、３［ＭＨｚ］の送信したパルス信号と受信したパルス信号を比較して３［ＭＨｚ］の減衰量を検出し、検出した３［ＭＨｚ］の減衰量から使用周波数（運用モード）での減衰量を算出し、使用周波数での減衰量と算出したケーブル長からケーブル直径を算出する。さらに算出したケーブル直径から最大許容ケーブル長を算出する。
そしてさらに、算出した、使用周波数での減衰量、ケーブル直径、ケーブル長、および最大許容ケーブル長を１画面に表示するように、モニタやインジケータに出力する。また好ましくは、最大許容ケーブル長とケーブル長を１本の棒状（若しくは棒グラフ状）に色分け表示するように、モニタやインジケータに出力するものである。
【００１５】
以下、本発明について図面を用いて説明する。
図１は、本発明のテレビジョンカメラ装置の一実施例の概略構成を示すブロック図である。図１において、１００はテレビジョンカメラ装置、１０１は被写体等を撮影するカメラヘッド部、１０２は伝送ケーブル、１０３はカメラコントロールユニット（ＣＣＵ）である。なお、伝送ケーブル１０２はＴＲＩＡＸケーブルである。
【００１６】
カメラヘッド部１０１は、例えば、ＣＣＤ（Charge Coupled Device）等の固体撮像素子からなり、被写体を撮影することにより映像信号を出力する機能を有している。
テレビジョンカメラ装置１００のカメラヘッド部１０１に入射された光は、カメラヘッド部１０１において、レンズを通り、色分解プリズムで赤色（Ｒ）光、緑色（Ｇ）光、青色（Ｂ）光の３色光に分光され、それぞれ固体撮像素子によって映像信号に変換され、さらに各映像信号がそれぞれ増幅され、増幅された信号はＡ／Ｄ変換器によってデジタル映像信号に変換される。このデジタル映像信号は、デジタル映像信号処理（ブラックバランス、ホワイトバランス、γ補正等の信号処理）が施される。デジタル映像信号処理された信号は、映像圧縮され、多値化され、主映像信号として伝送ケーブル１０２を介してＣＣＵ１０３に送信される。なお、以下の説明では、主映像信号には、オーディオ信号も含まれるものとする。
【００１７】
ＣＣＵ１０３において、伝送ケーブル１０２を介してカメラヘッド部１０１から送られてきた主映像信号は、映像信号として出力される。また、ＣＣＵ１０３は、ＣＰＵデータおよび音声データも再生する。
一方、ＣＣＵ１０３は、送り返し映像信号（戻り映像信号、音声信号、各種制御用シリアルデータ信号、電源等）のデータ（デジタル信号）を映像圧縮および多値化して、その信号に電源を重畳して、伝送ケーブル１０２を介して、カメラヘッド部１０１に送信する。カメラヘッド部１０１は、ＣＣＵ１０３より送信された信号を受信し、電源を分離し、カメラヘッド部１０１に電源として供給する。
また、ＣＣＵ１０３は、カメラヘッド部１０１から送信された映像信号を出力して、モニタやインジケータ等の外部機器に表示または出力する。また、ＣＣＵ１０３は、ＣＰＵデータおよび音声データも再生する。
【００１８】
本発明のテレビジョンカメラ装置のＣＣＵの一実施例の構成を図２〜図６によって説明する。図２は、本発明のテレビジョンカメラ装置のＣＣＵの一実施例の構成を示すブロック図である。２００はＣＣＵ、２１４はＰＳＫ ＭＯＤ（ＰＳＫ変調器）、２５１はスイッチ、２０３はスイッチ２５１を介して入力端子２８１から入力されるデジタル受信信号をケーブル長表示情報補正回路用データ出力回路２１１から出力される制御データに応じて補正して出力するケーブル補正回路、２０４はＥＱ（等価器）、２０５はクロックリカバリ、２０６と２１７はＳ／Ｐ変換器、２１６はＰＳＫ ＤＥＭ（ＰＳＫ復調器）、２１０は遅延時間算出回路、２０７は減衰量検出（ピーク検出）回路、２０８はＡ／Ｄ変換器（ＡＤＣ）、２０９は比較器（ＣＯＭＰ）、２１１はケーブル長表示情報補正回路用データ出力回路、２３１は、ＣＣＵ２００の各機器を制御する制御部、２６１は外部機器からＭＡＩＮ送信データを入力するためのＭＡＩＮ送信データ入力端子、２６２は外部機器からＳＴＢＹ送信データを入力するためのＳＴＢＹ送信データ入力端子、２０２はＭＡＩＮ送信データ入力端子２６１から入力されたＭＡＩＮ送信データをシリアル信号に変換するＰ／Ｓ変換器、２１５はＳＴＢＹ入力端子２６２から入力されたＳＴＢＹ送信データをシリアル信号に変換するＰ／Ｓ変換器、２１４はＰ／Ｓ変換器２１５から入力されるシリアル信号をＰＳＫ変調するＰＳＫ ＭＯＤ（ＰＳＫ変調器）、２５２は制御部２３１の制御に応じてＰ／Ｓ変換器２０２またはＰＳＫ変調器２１４から入力されるデジタル信号のいずれかを切替出力するスイッチ、２０１はスイッチ２５２の出力デジタル信号を所定のレベルに調節して出力するバッファ、２１３はバッファ２０１から入力されるデジタル信号をケーブル長表示情報補正回路用データ出力回路２１１から出力される制御データに応じて補正して出力するケーブル補正回路、２６３は外部機器の操作器から入力される操作信号を入力する操作入力端子、２７１はＭＡＩＮ受信データ入力端子、２７２はＳＴＢＹ受信データ入力端子、２７３はケーブル情報出力端子、２８１は伝送ケーブルを介してカメラヘッド部とデータを送受信するための送受信端子、２１２は比較器２０９に比較用のデータを入力するための比較値入力端子である。
また、図３は、本発明のテレビジョンカメラ装置で使用する減衰量テーブルの一実施例である。図４は、本発明のテレビジョンカメラ装置で使用する伝送ケーブルの直径を算出する変換式の一実施例を示す図である。
【００１９】
図２〜図４の実施例では、準備電源（ＳＴＢＹ）モードと本運用（ＭＡＩＮ）モードの２つの運用モードがあり、ＭＡＩＮモードでは、伝送レートが２７０［ＭＨｚ］であり、ＳＴＢＹモードでは伝送レートが３［ＭＨｚ］である。
ＳＴＢＹモードでは、音声と一部の制御信号の伝送のみの運用であり、このときに伝送ケーブルのケーブル状態のチェックを行う。また、ＭＡＩＮモードでは、伝送レートが２７０［ＭＨｚ］と伝送レートが高い。
このため、ＳＴＢＹモード時に、いきなりＭＡＩＮモードと同じ周波数動作として、高い伝送レート（２７０［ＭＨｚ］）で運用しようとすると、ケーブル長が長いときに減衰量が大きすぎて信号の復調が行えず、システムが動作しない。即ち、伝送ケーブルのケーブル状態のチェックが可能な信号が得られない。
そこで、ＳＴＢＹモードでは、伝送ケーブルから得られる信号が十分復調できるような減衰量となるように、ビットレートを下げて運用する。この結果、伝送ケーブルを伝送する信号の減衰量を測定することができ、その３［ＭＨｚ］での減衰量からケーブルの状態（長さ、径）を算出し、２７０［ＭＨｚ］での伝送状態を判定することができる。
【００２０】
まず、電源投入時には、ＣＣＵ２００よりカメラヘッド部にＳＴＢＹ用の送信データが送信される（図１参照。）。このときの送受信ビットレートを３［ＭＨｚ］でＳＴＢＹ用の送信データを送信する。ＳＴＢＹ用の送信データは、入力端子２６２からＰ／Ｓ変換器２１５、ＰＳＫ ＭＯＤ２１４、バッファ２０１、およびケーブル補正回路２１３を通り、スイッチ２５１および入出力端子２８１から伝送ケーブルを通ってカメラヘッドに送信される。なお、電源投入時とは、本発明のテレビジョンカメラ装置のＣＣＵ２００が電源オンする（伝送ケーブルは接続されている状態）時、若しくは、ＣＣＵ２００がオン状態で伝送ケーブルが接続されていない状態から接続された場合をいう。
カメラヘッド部は、ＣＣＵ２００よりＳＴＢＹ用の送信データを受け取ると、受信したＳＴＢＹ用の送信データをすぐに伝送ケーブルを介してＣＣＵ２００に送信する。
【００２１】
カメラヘッド部からの戻りのＳＴＢＹ用の送信データ（ＳＴＢＹ受信データ）は、ＣＣＵ２００の入力端子２８１に入力される。ＣＣＵ２００の入力端子２８１に入力されたＳＴＢＹ用受信データは、ケーブル補正回路２０３から、ＥＱ２０４、クロックリカバリ２０５、およびＳ／Ｐ変換器２０６を通って信号処理され、ＭＡＩＮ受信データとして出力端子２７１から出力されると共に、遅延時間算出回路２１０に出力される。
【００２２】
また、入力端子２８１に入力されたＳＴＢＹ用受信データは、スイッチ２５１、ケーブル補正回路２０３、ＰＳＫ ＤＥＭ２１６、Ｓ／Ｐ変換器２１７を通って復調され、出力端子２７２からＳＴＢＹ受信データとして出力されると共に、遅延時間算出回路２１０に出力される。復調された信号（ＳＴＢＹ受信データ）は、音声、ＣＰＵデータとして処理される。そのとき、遅延時間算出回路２１０は、送信した信号と受信した信号の遅延差（遅延時間）を算出し、ケーブル長表示情報補正回路用データ出力回路２１１に算出した遅延差のデータを出力する。
ケーブル長表示情報補正回路用データ出力回路２１１は、一般的によく用いられる１［ｍ］あたり５［ｎｓ］信号が遅れるという法則に従った計算式に基づいてケーブル長を求める。
【００２３】
しかし、本発明のテレビジョンカメラ装置の運用上、使用される伝送ケーブルの太さは、メーカ毎若しくは仕様によって異なるものがある。伝送ケーブルにおける信号の劣化は、伝送ケーブルの直径が細くなれば増え、伝送ケーブルの直径が太くなれば小さくなる。従って、伝送ケーブルの直径が分かれば、この伝送ケーブルの最大許容ケーブル長を算出することができる。
本発明のテレビジョンカメラ装置では、伝送ケーブルにおける劣化の補正を行う。しかし、伝送ケーブルの遅延時間から求めたケーブル長より、補正の制御を行うことは、上記理由により困難である。
そこで、伝送ケーブルにおける遅延時間の検出（遅延時間算出回路２１０）とは別に、上記減衰量検出回路２０７が、伝送ケーブルにおける減衰量を検出し、検出した減衰量より、伝送ケーブルにおける劣化の補正を行う。
【００２４】
即ち、カメラヘッド部からの戻りのＳＴＢＹ用受信データは、ＣＣＵ２００の入力端子２８１に入力される。そして、ＣＣＵ２００の入力端子２８１に入力されたＳＴＢＹ用受信データは、ケーブル補正回路２０３から、減衰量検出回路２０７に入力される。減衰量検出回路２０７は、伝送ケーブルを往復したＳＴＢＹ用受信データのピーク値を検出し、検出したピーク値のデータをＡ／Ｄ変換器２０８に出力する。Ａ／Ｄ変換器２０８は、ピーク値のデータをデジタル化して比較器２０９に出力する。即ち、減衰量検出回路２０７に入力されるデータは、３［ＭＨｚ］の減衰量データ（ＨＥＸデータ）であり、例えば、図３に示すグラフの変換式（計算値も実測値もほぼ同じなので、例えば計算式を用いる）を使って、例えば、３［ＭＨｚ］のデータから１００［ＭＨｚ］の減衰量を算出する。
さらに、比較器２０９は、減衰量テーブル（表１参照）の減衰量のデータを参照し、入力されたデジタル値のピーク値のデータに相当するケーブル長の値をケーブル長表示情報補正回路用データ出力回路２１１に出力する。即ち、減衰量検出回路２０７における減衰量の検出は、受信データの信号振幅より、ケーブルにおける劣化量を算出し、比較器（ＣＯＭＰ）２０９で現在のケーブル長を算出するものである。
表１は、本発明のテレビジョンカメラ装置で使用する減衰量テーブルの一実施例である。
【００２５】
【表１】
0005608109.tif 000002
【００２６】
ケーブル長表示情報補正回路用データ出力回路２１１は、遅延時間算出回路２１０から入力された遅延差のデータから伝送ケーブルの長さを算出し、比較器２０９から入力されたデータによって補正し、ケーブル補正回路２１３および２０３に制御データを出力する。即ち、ケーブル長表示情報補正回路用データ出力回路２１１は、判定されたケーブル長に応じて、ケーブル補正回路２１３および２０３の制御を行う。
【００２７】
また、ケーブル長表示情報補正回路用データ出力回路２１１は、図５の変換式を用いて、１００［ＭＨｚ］の減衰量から伝送ケーブルの直径を算出し、算出した伝送ケーブルの直径からＭＡＩＮモードでの最大許容ケーブル長を算出する。
その後、ケーブル長表示情報補正回路用データ出力回路２１１は、ケーブル情報（ケーブルの長さ、直径、最大許容ケーブル長、ケーブル余裕（運用可能なケーブル長に対して、実際の伝送ケーブルがどの程度の余裕があるか）、等）表示データを出力端子２７３を介してモニタ、インジケータ等の表示装置に出力し、表示させる。
この結果、ケーブル異常時を適切に判定することができる。
【００２８】
なお、図３は、実験値若しくは経験値から導き出し、図４は、伝送ケーブルのメーカの性能データから求めた。
また図４では、減衰率が所定に値未満になるとケーブル直径を算出できない領域があり、同様に、減衰率が所定に値以上になるとケーブル直径を算出できない領域がある。
さらに、図４は、１００［ＭＨｚ］換算での減衰率をケーブルの直径を算出したが、他の伝送レートでも良い。
【００２９】
図５と図６によってケーブル長表示情報補正回路用データ出力回路２１１から出力され、モニタに表示されたケーブル情報の表示画面の一実施例を説明する。図５および図６は、本発明のテレビジョンカメラ装置の一実施例のケーブル情報表示画面である。５００、６００および６００’は表示画面、棒状若しくは棒グラフ状の長方形５１０、５１０’および６１０は現在のケーブル長さ表示部、５２０および６２０は伝送ケーブルの長さおよび直径の表示欄、５３０および６３０は伝送ケーブル可否を示す表示欄、５１１はケーブル長さ表示部５１０、５１０’、または６１０の現在のケーブル長さの位置表示、５１４はケーブル長さ表示部５１０または５１０’の最小のケーブル長さの位置を示す表示、５１４はケーブル長さ表示部５１０、５１０’、または６１０の最大許容ケーブル長の位置を示す表示、６６０はケーブル長さ表示部５１０、５１０’、または６１０の伝送ケーブルＮＧ表示である。
図５および図６において、「Ｃａｂｌｅ Ｃｏｎｄｉｔｉｏｎ：ＯＫ」が伝送可能で、「Ｃａｂｌｅ Ｃｏｎｄｉｔｉｏｎ：ＮＧ」が伝送不能を意味する。
また、図５と図６（ａ）は、現在の伝送ケーブルが伝送可能な場合の表示例（ｍｏｄｅ１）であり、図６（ｂ）は、現在の伝送ケーブルが伝送不能な場合の表示例（ｍｏｄｅ２）である。
なお、図５、図６（ａ）、図６（ｂ）中の破線枠は、テキスト表示される領域を示し、実際に表示されなくても良い。
【００３０】
図５において、テレビジョンカメラ装置のＣＣＵと接続されたモニタの表示画面５００には、本発明のテレビジョンカメラ装置が算出した伝送ケーブルの現在のケーブル情報が出力され、表示される。
表示画面５００には、この伝送ケーブルで伝送可能な最大のケーブル長さと最小のケーブル長さを示す長方形図形の表示５１０中に、現在カメラヘッド部とＣＣＵとの間に接続されている伝送ケーブル（現在の伝送ケーブル）の長さが強調された図形の表示５１１で表示される。強調された図形の表示５１１とは、例えば、長方形の表示５１０に比べて濃い色彩の色をつける、網掛けにする、点滅する、枠を太線にする、等である。図５のように、伝送ケーブル長の最大と最小を意味する長方形の図形の表示５１０中に現在の伝送ケーブルの長さは表示されているならば、ＳＴＢＹモードの伝送ケーブルの信号チェックであるが、表示画面を見ることによって、テレビジョンカメラ装置の操作者は、本運用モードでも十分に伝送可能であることが迅速かつ容易に把握できる。
また、表示５２０に示すように、接続されている伝送ケーブルの長さおよび直径を、テレビジョンカメラ装置の操作者が迅速かつ容易に把握できる。
さらに、表示５３０に示すように、接続されている伝送ケーブルで本運用モードで伝送可能（Ｃａｂｌｅ Ｃｏｎｄｉｔｉｏｎ：ＯＫ）と表示されるので、テレビジョンカメラ装置の操作者は、表示５１０を見なくても、迅速かつ容易に把握できる。即ち、操作者は、表示５１０または表示５３０の少なくともいずれか１つを見ることによって、迅速かつ容易に、ＳＴＢＹモード時に伝送の可否を判別できる。
【００３１】
なお、図５の表示画面において、伝送不能の表示は、例えば、表示５３０が、「Ｃａｂｌｅ Ｃｏｎｄｉｔｉｏｎ：ＮＧ」であり、表示５１０では、表示５１１がＭＡＸ表示５１５の上若しくは右側の位置に表示される。さらに、表示５１１および表示５３０は、伝送可能な場合の表示色（例えば、黒色、灰色、緑色、青色、等）から、異常を示す色（例えば、赤色や黄色）に変更される。
この結果、接続されている伝送ケーブルで本運用モードで伝送不能（Ｃａｂｌｅ Ｃｏｎｄｉｔｉｏｎ：ＮＧ）と表示されるので、テレビジョンカメラ装置の操作者は、表示５１０を見なくても、迅速かつ容易に把握できる。即ち、操作者は、表示５１０または表示５３０の少なくともいずれか１つを見ることによって、迅速かつ容易に、ＳＴＢＹモード時に伝送の可否を判別できる。
【００３２】
次に図６は、本発明の表示画面の別の実施例である。
図６（ａ）は、図５と同様に、ＳＴＢＹモードで伝送ケーブルが伝送可能な場合に表示画面の一実施例である。図５と図６（ａ）の違いは、図５の表示画面５００において、表示５１０の長方形の長さが、画面中央に位置したのに対し、図６（ａ）の表示画面６００では、画面左側に偏った位置の表示５１０’であるものである。即ち、ＭＡＸ表示５１５の右側にまだ表示の余地領域がある。
次に、図６（ｂ）は、ＳＴＢＹモードで伝送ケーブルが伝送不能な場合の表示画面の一実施例である。表示画面６００’は、表示６３０が「Ｃａｂｌｅ Ｃｏｎｄｉｔｉｏｎ：ＮＧ」であり、また、表示６１０（ＭＡＸ表示５１５）の右側（上記表示の余地領域）にＮＧを意味する表示６６０が表示される。さらに、表示６３０および６６０は、伝送不能を示す色（例えば、赤色や黄色）に変更される。
この結果、表示５２０に示すように、接続されている伝送ケーブルの長さおよび直径を、テレビジョンカメラ装置の操作者が迅速かつ容易に把握できる。
また、接続されている伝送ケーブルで本運用モードで伝送可能（Ｃａｂｌｅ Ｃｏｎｄｉｔｉｏｎ：ＯＫ）または伝送不能（Ｃａｂｌｅ Ｃｏｎｄｉｔｉｏｎ：ＮＧ）と表示されるので、テレビジョンカメラ装置の操作者は、表示を見なくても、迅速かつ容易にＳＴＢＹモード時に伝送の可否を把握できる。
即ち、表示部５１０、５１０’および６１０の長方形（棒状または棒グラフ状）の図形そのものが、最大許容ケーブル長を示し、その中の表示５１１の表示位置が、最大許容ケーブル長に対して、現在のケーブルの長さがどのくらい余裕があるかを示している。ＣＣＵ側の操作者は、モニタに表示された表示画面を見て、映像伝送にどのくらい余裕があるかを、一目で、迅速、容易、かつ直感的に理解することができる。
また、図６（ｂ）に示すように、伝送ＮＧの場合も、伝送不能であることが、操作者が、一目で、迅速、容易、かつ直感的に理解することができる。
【００３３】
なお、図５または図６において、伝送不能を示す表示（例えば、表示６６０）は、他の表示５１０、５１０’、または６１０の長方形図形の高さと同じにする必要はなく、大きくしたり、変形（例えば、ラッパ状、バルーン状、稲妻形状、×印、等）する等、どのような形状にしても良い。また、表示５３０および６３０についても、「ＯＫ」ではなく「○」記号でも良く、「ＮＧ」ではなく「×」「！（びっくりマーク）」記号でも良い。
【００３４】
次に、図７によって、本発明のテレビジョンカメラ装置の一実施例のケーブル長表示動作について説明する。図７は、本発明のテレビジョンカメラ装置におけるケーブル長表示動作の一実施例を示すフローチャートである（図１〜図４参照。）。
図７において、電源投入時には、ＣＣＵからカメラヘッド部にＳＴＢＹ用の送信データが送信され、カメラヘッド部からこの戻り信号（ＳＴＢＹ受信データ）がＣＣＵに送信される（ＳＴＡＲＴ）。
【００３５】
ステップＳ７０１では、伝送ケーブルを往復したＳＴＢＹ用受信データ（戻りのＳＴＢＹ用の送信データ）の遅延量を検出する。
ステップＳ７０２では、検出した遅延量から伝送ケーブルの長さＬを算出する。
ステップＳ７０３では、伝送ケーブルを往復したＳＴＢＹ用受信データ（戻りのＳＴＢＹ用の送信データ）のピーク値を検出する。
ステップＳ７０４では、図３の換算式を参照して、検出されたピーク値に相当する１００［ＭＨｚ］の減衰量を算出する。
ステップＳ７０５では、図４の変換式を用いて、算出された減衰量に対応する伝送ケーブルの直径Ｄを算出する。
ステップＳ７０６では、算出した伝送ケーブルの直径Ｄから最大許容ケーブル長Ｌｍａｘを算出する。
ステップＳ７０７では、ケーブル長Ｌが最大許容ケーブル長Ｌｍａｘ以下か否かを判定する。ケーブル長Ｌが最大許容ケーブル長Ｌｍａｘ以下であればステップＳ７０８に進み、ケーブル長Ｌが最大許容ケーブル長Ｌｍａｘ超であればステップＳ７０９に進む。
ステップＳ７０８では、図６（ａ）または図５の表示画面の様式（ｍｏｄｅ１）でモニタに表示情報を出力表示させる。
ステップＳ７０９では、図６（ｂ）の表示画面の様式（ｍｏｄｅ２）でモニタに表示情報を出力表示させる。
なお、処理の順番は、処理スピード内容により任意に変更して良いことは自明である。
【００３６】
以上説明したように上記実施例によれば、ケーブルの状態を画面に表示することで、ケーブルの状態を常に監視することができ、安定したシステム運用が可能となる。
【符号の説明】
【００３７】
１００：テレビジョンカメラ装置、  １０１：カメラヘッド部、  １０２：伝送ケーブル、  １０３：カメラコントロールユニット（ＣＣＵ）、  ２００：ＣＣＵ、  ２１３：ケーブル補正回路、  ２０１：バッファ、  ２０２：Ｐ／Ｓ変換器、  ２０３：ケーブル補正回路、  ２０４：ＥＱ（等価器）、  ２０５：クロックリカバリ、  ２０６、２１７：Ｓ／Ｐ変換器、  ２０７：減衰量検出（ピーク検出）回路、  ２０８：Ａ／Ｄ変換器（ＡＤＣ）、  ２０９：比較器（ＣＯＭＰ）、  ２１０：遅延時間算出回路、  ２１１：ケーブル長表示情報補正回路用データ出力回路、  ２１４：ＰＳＫ ＭＯＤ（ＰＳＫ変調器）、  ２１５：Ｐ／Ｓ変換器、  ２１６：ＰＳＫ ＤＥＭ（ＰＳＫ復調器）、  ２３１：制御部、  ２５１：スイッチ、  ２５２：スイッチ、  ２６１：ＭＡＩＮ送信データ入力端子、  ２６２：ＳＴＢＹ送信データ入力端子、  ２６３：操作入力端子、  ２７１：ＭＡＩＮ受信データ入力端子、  ２７２：ＳＴＢＹ受信データ入力端子、  ２７３：ケーブル情報出力端子、  ２８１：送受信端子、  ２１２：の比較値入力端子、  ５００、６００、６００’：表示画面、  ５１０、５１０’、６１０：現在のケーブル長さ表示部、  ５２０、６２０：伝送ケーブルの長さおよび直径の表示欄、  ５３０、６３０：伝送ケーブルの伝送可否を示す表示欄、  ５１１：現在のケーブル長さの位置表示、  ５１４：最小のケーブル長さの位置を示す表示、  ５１４：最大のケーブル長さの位置を示す表示、  ６６０：伝送ケーブルＮＧ表示。
【図１】
0005608109.tif 000003
【図２】
0005608109.tif 000004
【図３】
0005608109.tif 000005
【図４】
0005608109.tif 000006
【図５】
0005608109.tif 000007
【図６】
0005608109.tif 000008
【図７】
0005608109.tif 000009